(57)【要約】【課題】スケジューリングされたシステムのスケジューリングされた周波数資源を受信するように構成された少なくとも１つのデバイスを制御するための方法および装置。【解決手段】非活動モードにある少なくとも１つのデバイスは、スケジューリングされたシステムのスケジューリングとは独立した形で二次周波数資源が配分される。スケジューリングされた周波数資源の受信を制御するために、非活動モードにある少なくとも１つのデバイスに対して二次周波数資源上で信号が伝送される、二次周波数資源上で信号を受信する非活動モードにあるデバイスが、信号に基づいて、スケジューリングされた周波数資源の受信を制御できる。【選択図】図４
2019033547.tif 000002
【特許請求の範囲】
【請求項１】
スケジューリングされたシステムのスケジューリングされた周波数資源を受信するように構成された少なくとも１つのデバイスを制御する方法であって、
該方法は、
前記スケジューリングされたシステムのスケジューリングとは独立に、二次周波数資源を非活動モードにある少なくとも１つのデバイスに配分するステップと、
前記スケジューリングされた周波数資源の受信を制御するために、前記二次周波数資源の上で、非活動モードにある前記少なくとも１つのデバイスに、信号を伝送するステップと、
を含む、方法。
【請求項２】
スケジューリングされたシステムのスケジューリングされた周波数資源を受信するように構成されたデバイスを制御する方法であって、
前記デバイスが非活動状態にある場合に、前記スケジューリングされたシステムのスケジューリングから独立に、二次周波数資源の上で信号を受信するステップと、
前記信号に基づいて前記スケジューリングされた周波数資源の受信を制御するステップと、
を含む方法。
【請求項３】
前記第１の受信機機能が非活動モードにあるとき、前記二次周波数資源を受信するように構成された第２の受信機機能と比べてより広い帯域幅で、または、第２の受信機機能とは異なる無線アクセス技術に基づいて動作する第１の受信機機能を、前記信号に基づいて制御するステップを含む、請求項１または２に記載の方法。
【請求項４】
前記スケジューリングされた周波数資源が、少なくとも１つの資源単位を含み、
該資源単位は、第１の周波数資源を含み、
前記二次周波数資源が、１つの資源単位内の前記第１の周波数資源よりも小さい第２の周波数資源を含む、
請求項１ないし３のいずれか１項に記載の方法。
【請求項５】
前記資源単位が、直交周波数分割多重化（ＯＦＤＭ）システムの物理的資源ブロックである、請求項４に記載の方法。
【請求項６】
前記二次資源についての情報を通信するステップを含む請求項１ないし５のいずれか１項に記載の方法。
【請求項７】
システム情報メッセージ内で、または、専用シグナリングを介して、前記情報を伝送するステップを含む請求項６に記載の方法。
【請求項８】
前記情報は、ユーザ機器識別およびページング情報のうちの少なくとも１つを含む、請求項６または７に記載の方法。
【請求項９】
前記二次周波数資源が、直交周波数分割多重化（ＯＦＤＭ）システムの少なくとも１つの副搬送波を含む、請求項１ないし８のいずれか１項に記載の方法。
【請求項１０】
前記二次周波数資源が、少なくとも部分的に、スケジューリングされた周波数資源内に含まれている、請求項１ないし９のいずれか１項に記載の方法。
【請求項１１】
前記スケジューリングされた資源の上で伝送すべき信号をミュートするステップと、
前記二次信号で前記信号を置換するステップと、
を含む請求項１ないし１０のいずれ１項かに記載の方法。
【請求項１２】
二次資源についての情報に基づいて、スケジューリングされた資源の上で伝送すべきデータをエンコードするステップと、レート・マッチングするステップとのうちの少なくとも一方を含む、請求項１ないし１１のいずれ１項かに記載の方法。
【請求項１３】
前記二次資源が、ＯＦＤＭシステムの直流副搬送波を含む、請求項１ないし１２のいずれか１項に記載の方法。
【請求項１４】
前記信号が、２進シーケンスにより変調され、
前記２進シーケンスが複数の２進シーケンスのうちの１つである、
請求項１ないし１３のいずれか１項に記載の方法。
【請求項１５】
前記複数の２進シーケンスの１つ以上が、前記二次周波数資源についての情報を通信するために予約されている、請求項１４に記載の方法。
【請求項１６】
前記二次周波数資源の上の前記信号が、前記スケジューリングされた資源を受信するための機能をウェイク・アップさせるための信号を含む、請求項１ないし１５のいずれか１項に記載の方法。
【請求項１７】
スケジューリングされたシステム内でスケジューリングされた周波数資源を受信するように構成された少なくとも１つのデバイスを制御するための装置であって、
該装置は、少なくとも１つのプロセッサとコンピュータ・プログラム・コードを含む少なくとも１つのメモリーとを含み、
前記少なくとも１つのメモリーおよび前記コンピュータ・プログラム・コードが、前記少なくとも１つのプロセッサを用いて、
非活動モードにある少なくとも１つのデバイスに対する、前記スケジューリングされたシステムのスケジューリングから独立して、二次周波数資源の配分と、
前記スケジューリングされた周波数資源の受信を制御するための、前記二次周波数資源の上での非活動モードにある前記少なくとも１つのデバイスへの信号の伝送と、
をさせるように構成されている、装置。
【請求項１８】
スケジューリングされたシステムのスケジューリングされた周波数資源を受信し、
前記デバイスが非活動状態にある場合に、前記スケジューリングされたシステムのスケジューリングから独立して、二次周波数資源の上で信号を受信し、
前記信号に基づいて前記スケジューリングされた周波数資源の受信を制御する、
ように構成されているデバイスのための装置。
【請求項１９】
前記信号に基づいて、前記第１の受信機機能が非活動モードにあるとき、前記二次周波数資源を受信するように構成された第２の受信機機能と比べてより広い帯域幅で、または、該第２の受信機機能とは異なる無線アクセス技術に基づいて動作する第１の受信機機能を制御するように構成された、請求項７または９に記載の装置。
【請求項２０】
前記スケジューリングされた周波数資源が少なくとも１つの資源単位を含み、
前記資源単位が第１の周波数資源を含み、
前記二次周波数資源が、１つの資源単位内の前記第１の周波数資源よりも小さい第２の周波数資源を含む、
請求項１７ないし１９のいずれか１項に記載の装置。
【請求項２１】
前記二次資源についての情報を通信するように構成され、
前記情報は、好適には、ユーザ機器識別と、ページング情報とのうちの少なくとも１つを含む、
請求項１７ないし２０のいずれか１項に記載の装置。
【請求項２２】
前記二次周波数資源が、直交周波数分割多重化（ＯＦＤＭ）システムの少なくとも１つの副搬送波を含み、および／または、
前記二次周波数資源が、少なくとも部分的に、スケジューリングされた周波数資源内に含まれており、および／または、
前記二次周波数資源がＯＦＤＭシステムの直流副搬送波を含む、
請求項１７ないし２１のいずれか１項に記載の装置。
【請求項２３】
前記二次周波数資源の上の前記信号が、スケジューリングされた資源を受信するための機能をウェイク・アップさせるための信号を含む、請求項１７ないし２２のいずれか１項に記載の装置。
【請求項２４】
請求項１７または請求項１７に従属するいずれかの請求項に記載の装置を含むネットワーク、または、
請求項１８または請求項１８に従属するいずれかの請求項に記載の装置を含む通信デバイス。
【請求項２５】
プロセッサ装置の上で実行されたとき、請求項１ないし１６のいずれか１項に記載のステップを実行するのに適応するコード手段を含む、コンピュータ・プログラム。
【発明の詳細な説明】
【技術分野】
【０００１】
本願開示は、無線通信システムにおける通信、より詳細には、スケジューリングされた伝送向けに構成された無線通信システムにおける伝送に関する。
【背景技術】
【０００２】
通信システムは、固定または移動通信デバイスなどの２つ以上のノード間、基地局、サーバー、マシン・タイプのデバイスなどのアクセス・ポイント間の通信を可能にする設備と考えることができる。通信システムおよび互換性ある通信用エンティティは、典型的に、システムに付随するさまざまなエンティティが行なうことを許されていることおよびその達成方法を明記する所与の規格または仕様にしたがって動作する。例えば、規格、仕様および関連プロトコルは、通信デバイス間およびアクセス・ポイント間の通信をどのように配設すべきか、通信のさまざまな側面をいかに提供すべきか、そして機器をいかに構成すべきかを定義することができる。
【０００３】
信号は、有線または無線の搬送波上で搬送され得る。無線システムの例としては、地上波公共移動通信ネットワーク（ＰＬＭＮ）、例えばセルラーネットワーク、衛星を利用する通信システムおよび異なるワイヤレス・ローカル・ネットワーク、例えばワイヤレスローカル・エリア・ネットワーク（ＷＬＡＮ）が含まれる。無線システムは、セルと呼ばれるサービス・エリアに分割され得、このため、無線システムは多くの場合セルラー・システムと呼ばれる。１つの基地局は、１つ以上のセルを提供することができ、さまざまなタイプの基地局およびセルが存在する。
【０００４】
ユーザは、適切な通信デバイスまたは端末を用いて通信システムにアクセスできる。典型的には、通信デバイスは、音声およびデータなどの通信の受信および伝送を可能にするために使用される。通信デバイスには典型的に、他の当業者との通信を有効にするための配設を受信し伝送する適切な信号が提供される。通信デバイスは、基地局により提供される搬送波にアクセスし、搬送波上で通信を伝送および／または受信することができる。
【０００５】
受信デバイスに向けた伝送は、スケジューリングに基づくことができる。スケジューリングされた無線システムにおいては、受信者デバイスにおけるエネルギーを節約するために、周期的ページング技術が使用されることが多い。受信者デバイスは、各周期の間、短時間活動状態に置かれるだけでよく、一方、残りの時間中非活動状態になることができる。この目的のために一般的に使用されている２つのメカニズムは、アイドル・モードとスリープ・モードである。活動状態周期の間、受信デバイスは、ネットワークからの着信ページング・メッセージをチェックする。活動状態と非活動状態の間で切替え可能であるというこの原理は、例えば電話着呼時などネットワークのトラフィックの場合になおもネットワークが利用できる状態にありながら、受信者デバイスが電力を節約できるようにする。
【０００６】
最新のネットワークは典型的に２レベルの「ページング」を有する。「正規の」ページング手順は、受信者通信デバイスが活動モードではなくむしろアイドル・モードで接続されている場合である。軽量ページング・モードでは、通信デバイスは接続モードにあり、一方非連続受信モードでは、通信デバイスは、スケジューリング付与のため周期的にリスニングしている。
【０００７】
しかしながら、ページングの周期性は、いくつかの点において問題を呈する可能性がある。例えば、着信トラフィックが周期的でない場合、周期的ページングは、特に周期が過度に長い場合、パケット遅延を導く可能性がある。概して、ランダム着信トラフィックの瞬間についての平均的パケット遅延は、ページングの瞬間の間の時間の半分に対応する。デバイスが活動モードにあるもののページング・メッセージを受信しない場合、詳細には周期が過度に短い場合、受信者通信デバイスにおいてエネルギーが浪費される可能性がある。
【０００８】
上述の問題は、いずれかの特定の通信環境および局の装置に限定されず、あらゆる適切なシステムにおいて発生し得るものであることが指摘される。
【発明の概要】
【発明が解決しようとする課題】
【０００９】
本発明の実施形態は、上述の問題の１つまたは複数に対処することを目的としている。
【課題を解決するための手段】
【００１０】
一実施形態によると、スケジューリングされたシステムの、スケジューリングされた周波数資源を受信するように構成された少なくとも１つのデバイスを制御する方法において、非活動モードにある、少なくとも１つのデバイスに対して、スケジューリングされたシステムのスケジューリングとは独立した形で二次周波数資源を配分するステップと、スケジューリングされた周波数資源の受信を制御するために、非活動モードにある少なくとも１つのデバイスに対して、二次周波数資源上で信号を伝送するステップと、を含む方法が提供されている。
【００１１】
一実施形態によると、スケジューリングされたシステムのスケジューリングされた周波数資源を受信するように構成されたデバイスを制御する方法において、デバイスが非活動状態にある場合に、スケジューリングされたシステムのスケジューリングとは独立して二次周波数資源上で信号を受信するステップと、信号に基づいてスケジューリングされた周波数資源の受信を制御するステップと、を含む方法が提供されている。
【００１２】
一実施形態によると、スケジューリングされた周波数資源を受信するように構成された少なくとも１つのデバイスを、スケジューリングされたシステム内で制御するための装置において、少なくとも１つのプロセッサとコンピュータ・プログラム・コードを含む少なくとも１つのメモリーとを含む装置であって、少なくとも１つのメモリーおよびコンピュータ・プログラム・コードが、少なくとも１つのプロセッサと共に、非活動モードにある少なくとも１つのデバイスに対する、スケジューリングされたシステムのスケジューリングとは独立した形での二次周波数資源の配分と、スケジューリングされた周波数資源の受信を制御するための、非活動モードにある少なくとも１つのデバイスに対する、二次周波数資源上での信号の伝送と、を引き起こすように構成されている、装置が提供されている。
【００１３】
一実施形態によると、スケジューリングされたシステムのスケジューリングされた周波数資源を受信し、デバイスが非活動状態にある場合に、スケジューリングされたシステムのスケジューリングとは独立して二次周波数資源上で信号を受信し、信号に基づいてスケジューリングされた周波数資源の受信を制御するように構成されているデバイスのための装置が提供されている。
【００１４】
より具体的な実施形態によると、第１の受信機機能が非活動モードにあるとき、信号に基づいて、二次周波数資源を受信するように構成された第２の受信機機能と比べてより広い帯域幅でまたは異なる無線アクセス技術に基づいて動作する第１の受信機機能が制御される。
【００１５】
スケジューリングされた周波数資源は少なくとも１つの資源単位を含むことができ、資源単位は第１の周波数資源を含み、二次周波数資源は、１つの資源単位内の第１の周波数資源よりも小さい第２の周波数資源を含む。資源単位は、直交周波数分割多重化（ＯＦＤＭ）システムの物理的資源ブロックを含むことができる。
【００１６】
二次資源についての情報が通信され得る。前記情報は、システム情報メッセージ内でまたは専用シグナリングを介して伝送可能である。この情報は、ユーザ機器識別およびページング情報の少なくとも１つを含むことができる。
【００１７】
二次周波数資源は、直交周波数分割多重化（ＯＦＤＭ）システムの少なくとも１つの副搬送波を含み得る。二次周波数資源は少なくとも部分的に、スケジューリングされた周波数資源内に含まれ得る。二次資源は、ＯＦＤＭシステムの直流副搬送波を含み得る。
【００１８】
スケジューリングされた資源上で伝送すべき信号をミュートし、二次信号で信号を置換することができる。
【００１９】
二次資源についての情報に基づいて、スケジューリングされた資源上で伝送すべきデータのエンコードおよびレート・マッチングの少なくとも一方を提供することができる。信号は、２進シーケンスにより変調され得る。２進シーケンスは、複数の２進シーケンスのうちの１つであり得る。複数の２進シーケンスの１つ以上が、二次周波数資源関連する情報を通信するための手段として予約され得る。
【００２０】
二次周波数資源上の信号は、スケジューリングされた資源を受信するための機能をウェイク・アップするための信号を含むことができる。
【００２１】
本明細書中に記載の方法を行なうために適応されたプログラム・コード手段を含むコンピュータ・プログラムも同様に提供され得る。さらなる実施形態によると、上述の方法のうちの少なくとも１つを提供するために、コンピュータ可読媒体上で実施可能な装置および／またはコンピュータ・プログラム製品が提供されている。
【００２２】
１つのエリア内での伝送を制御するかまたは他の形で１つのエリア内のオペレーションを制御するためのコントローラ・エンティティまたは基地局などのネットワーク・ノードを、実施形態のうちの少なくとも一部にしたがって動作するように構成することができる。本発明の装置および原理を実施する通信システムも同様に提供され得る。
【００２３】
任意の態様の任意の特徴を、任意の他の態様の任意の他の特徴と組合せることができるということを認識すべきである。
【００２４】
ここで、単なる一例として、以下の実施例および添付図面を参照して、実施形態をさらに詳細に説明する。
【図面の簡単な説明】
【００２５】
【図１】一部の実施形態を実現できるセルラー・システムの概略図を示す。
【図２】一部の実施形態に係る制御装置の概略図を示す。
【図３】２つの受信機を伴う考えられる通信デバイスの概略的提示を示す。
【図４】ある種の実施形態に係る流れ図である。
【図５】資源単位の一例を示す。
【図６】２受信機装置の一例を示す。
【図７】受信機装置についての例証用ブロック図を示す。
【図８】ＤＲＸとイベント・ベースの受信との間の比較である。
【図９】伝送のためにスケジューリングされた信号のみが生成されるシナリオと、スケジューリングされた信号および二次信号が伝送のために組合せられているシナリオの差異を例示している。
【図１０】伝送のためにスケジューリングされた信号のみが生成されるシナリオと、スケジューリングされた信号および二次信号が伝送のために組合せられているシナリオの差異を例示している。
【発明を実施するための形態】
【００２６】
以下では、移動通信デバイスにサービス提供している無線または移動通信システムを基準にして、いくつかの例証用実施形態が説明されている。例証用実施形態を詳細に説明する前に、記載されている実施例の基礎をなす技術の理解を助ける目的で、無線通信システム、そのアクセス・システムおよび移動通信デバイスのいくつかの一般的原理について簡単に説明する。
【００２７】
通信システム・アーキテクチャにおける最近の進歩の非限定的例は、第３世代パートナシップ・プロジェクト（３ＧＰＰ）により規格化されつつあるユニバーサル移動体通信システム（ＵＭＴＳ）のロング・ターム・エボリューション（ＬＴＥ）である。ＬＴＥは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）として公知のモバイル・アーキテクチャを利用する。このようなシステムの基地局は、進化型または増強型ＮｏｄｅＢｓ（ｅＮｏｄｅＢｓ、ｅＮＢｓ）として公知であり、Ｅ−ＵＴＲＡＮフィーチャ、例えばユーザプレーン無線リンク制御／媒体アクセス制御／物理層プロトコル（ＲＬＣ／ＭＡＣ／ＰＨＹ）および制御プレーン無線資源制御（ＲＲＣ）プロトコル終端を、通信デバイスに向けて提供できる。無線アクセス・システムの他の例には、無線ローカル・エリア・ネットワーク（ＷＬＡＮ）および／またはＷｉＭａｘ（Ｗｏｒｌｄ  ｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの技術に基づくシステムの基地局により提供されるものが含まれる。
【００２８】
通信デバイスまたは端末１には、基地局または無線サービス・エリアまたはセルを提供する類似の無線送信機および／または受信機ノードを介した無線アクセスが提供され得る。図１は、４つの基地局１１、１３、１５および１７を示すが、これらは例示を目的としてのみ示されていること、およびより多くのまたはより少ない数の基地局サイトを提供することができることも指摘される。基地局サイトは、１つ以上のセルまたはセクターを提供することができる。１つのセクターは、1つのセルまたは１つのセルの1つのサブエリアを提供することができる。こうして、セルの数、サイズおよび形状は大きく変動し得ることが認識されるものである。
【００２９】
基地局ひいてはセル内での通信は、そのオペレーションを可能にし、基地局と通信状態にある移動通信デバイスの管理を可能にするために典型的に、少なくとも１つの適切なコントローラ装置により制御される。制御装置は、他の制御エンティティと相互接続され得る。制御装置には、典型的に、記憶容量および少なくとも１つのデータ・プロセッサが具備され得る。制御装置および機能は、複数の制御ユニット間で分配され得る。一部の実施形態において、各々の基地局は、１つの制御装置を含むことができる。変形実施形態においては、２つ以上の基地局が制御装置を共有し得る。例えば、ＬＴＥでは、所与のｅＮＢが典型的に複数のセルを制御する。
【００３０】
異なるタイプの考えられるセルには、マクロセル、ピコセルおよびフェムトセルとして公知のものが含まれる。例えば、伝送／受信ポイントまたは基地局は、例えばセル全体についての受信地域または類似の無線サービス・エリアを提供し得るマクロｅＮｏｄｅＢ（ｅＮＢ）などの広域ネットワーク・ノードを含むことができる。基地局には同様に、小規模またはローカル無線サービス・エリア・ネットワーク・ノード、例えばＨｏｍｅ  ｅＮＢｓ（ＨｅＮＢ）、ピコｅＮｏｄｅＢｓ（ｐｉｃｏ−ｅＮＢ）またはフェムト・ノードも提供され得る。一部の利用分野では、例えば（実施例中１１で示されている）１つのｅＮＢに接続される無線遠隔ヘッド（ＲＲＨ、実施例中１５で示されている）が使用される。
【００３１】
基地局および付随するコントローラは、固定回路接続および／またはエア・インターフェースを介して、互いを通して通信し得る。基地局ノード間の論理的接続は、例えばＸ２インターフェースによって提供可能である。図１において、このインターフェースは、２０で示された破線により示されている。
【００３２】
図２は、例えば、基地局のいずれかと一体化されるべき、これに結合されるべきおよび／または他の形でこれを制御するための、１つのノードのための制御装置の一例を示す。制御装置３０は、基地局サイトのサービス・エリア内での通信に対する制御を提供するように構成され得る。制御装置３０は、スケジューリングされた伝送の配分と結びつけた形で制御機能を提供するように構成され得る。制御装置は同様に、以下で説明する一部の実施形態に係る二次資源の配分のためにも構成され得る。この目的で、制御装置は、少なくとも１つのメモリー３１、少なくとも１つのデータ処理ユニット３２、３３および入出力インターフェース３４を含む。インターフェースを介して、制御装置は、基地局の少なくとも１つの受信機および少なくとも１つの送信機に結合され得る。制御装置は、制御機能を提供するために適切なソフトウェア・コードを実行するように構成され得る。例えば図１のエンティティ２４内などの、システム中の他の場所に具備された制御装置内に、類似の構成要素を具備できるということが認識されるものである。
【００３３】
通信デバイス１は、少なくともデータの無線通信を受信できる任意の好適なデバイスを含み得る。例えば、端末は、無線受信機、データ処理およびユーザ・インターフェース装置が備わった携帯用データ処理デバイスであり得る。非限定的例としては、移動局（ＭＳ）、例えば携帯電話または「スマートホン」として知られているもの、ポータブルコンピュータ、例えば無線インターフェース・カードまたは他の無線インターフェース設備が具備されたラップトップ・コンピュータ、タブレット・コンピュータ、無線通信能力が具備された携帯情報端末（ＰＤＡ）、あるいはこれらの任意の組合せなど、が含まれる。さらなる例には、ウェアラブル無線デバイス、例えば腕時計、スマート・ウォッチ、メガネ類、ヘルメット、帽子、衣服、無線接続性を備えたイヤホーン、宝飾品などと一体化されたもの、無線能力を備えたユニバーサル・シリアル・バス（ＵＳＢ）スティック、モデム・データ・カードまたはこれらの任意の組合せなどが含まれる。ユーザの通信デバイスは、多くの場合、ユーザ機器（ＵＥ）と呼ばれる。
【００３４】
図３は、考えられる通信デバイスの概略的な、部分的に断面になっている図である。より詳細には、携帯型または他の形で移動性の通信デバイス１が示されている。移動通信デバイスには、無線通信能力および、本明細書中に記載の原理にしたがってそのオペレーションを可能にするための適切な電子制御装置が具備されている。こうして、モバイル・デバイス１は、それが実行するように設計されているタスクをソフトウェアおよびハードウェアを援用して実行する上で使用するために、少なくとも１つのデータ処理エンティティ６、例えば中央処理ユニットおよび／またはコアプロセッサ、少なくとも１つのメモリー８および他の考えられる構成要素、例えば追加のプロセッサ５およびメモリー９が具備された状態で、示されている。データ処理、記憶および他の関係する制御装置は、適切な回路基板７上および／またはチップセット内に具備可能である。モバイル・デバイスの制御装置によって提供されるデータ処理およびメモリー機能は、本明細書中の後続部分に記載される通り、本発明の一部の実施形態に係る制御およびシグナリングオペレーションを引き起こすように構成されている。ユーザは、タッチセンサー式表示スクリーンまたはパッド４および／またはキーパッド、アクチュエータ・ボタン、音声コマンド、これらの組合せなどの好適なユーザ・インターフェースを用いて、モバイル・デバイスのオペレーションを制御し得る。典型的には、スピーカーおよびマイクロホンも同様に具備されている。さらに、移動通信デバイスは、自らに外部アクセサリー、例えばハンズ・フリー機器を接続するための、および／または他のデバイスに接続するための適切なコネクタ（有線または無線のいずれか）を含むことができる。
【００３５】
モバイル・デバイスは、信号を受信し伝送するための適切な装置を介して、他のデバイスと無線で通信し得る。一部の実施形態において、少なくとも２つの異なるタイプの受信機装置を具備することができる。こうして、図３は、デバイスの制御装置に接続された２つの無線ブロック２および３を概略的に示す。無線ブロックは、無線部品と、付随するアンテナ配設とを含むことができる。アンテナ配設は、モバイル・デバイスの内部または外部に配設され得、無線装置２および３によって共用可能である。一実施形態によると、装置２はモバイル・デバイス１の主送受信機を提供し、装置３は二次受信機を提供する。
【００３６】
主および二次受信機の機能性を考慮すると、これらの機能性は、１つの受信機装置によっても提供され得ることが指摘される。こうして、図３の２つの物理的に別個の受信機の代りに、１つの受信機装置のみを具備することができ、この受信機装置は、スケジューリングされた伝送および二次伝送を受信するように配設される。
【００３７】
通信デバイスの二次チャンネル受信機による受信のために、二次チャンネルを具備することができる。以下では、自立型として作用するかまたは定期的なページング原理と併せて作用することのできるイベント・ベースのページング・メカニズムに関連して、実施例が説明される。
【００３８】
より具体的な実施形態によると、実際のページング・メッセージに関するプリページング・メッセージが、主受信機機能が非活動状態にある状態で、受信するデバイスの二次受信機機能に対し伝送され、それにより受信される。このとき、二次受信機機能は、実際のページングの着信メッセージについて主送受信機機能に通知する。こうして、主受信機機能は、プリページング・メッセージに応答して活動化され得、実際のページング・メッセージを受信できる。
【００３９】
図４の流れ図は、例えば基地局によるそのサービス・エリア内部の通信デバイスに対する伝送が、スケジューリングされたシステムのスケジューリングされた周波数資源を受信するように構成された少なくとも１つのデバイスを制御するために、所定のスケジューリング・アルゴリズムにしたがってスケジューリングされている、通信システムにおける二次チャンネルの使用例を例示している。この方法では、４０において、スケジューリングされたシステムの所定のスケジューリングとは独立した形で、非活動モードにある少なくとも１つのデバイスに対して、二次周波数資源が配分されている。その後、４２において、二次周波数資源上でスケジューリングされた周波数資源の受信を制御するため、非活動モードにある少なくとも１つのデバイスに対して１つの信号が伝送される。
【００４０】
図４はさらに、非活動状態の通信デバイス内で行なわれるステップ４４および４６を示す。４４において、デバイスは、スケジューリングされたシステムのスケジューリングとは独立した形で二次周波数資源上で信号を受信する。スケジューリングされた周波数資源の受信は次に、４６において、二次資源上で通信された信号に基づいて制御され得る。
【００４１】
一実施形態によると、この信号は、第１の受信機機能が非活動モードにあるときに二次周波数資源を受信するように構成された第２の受信機機能よりも広い帯域幅で動作する第１の受信機機能を制御するために使用可能である。別の実施形態によると、信号は、異なる無線アクセス技術に基づいて通信される。
【００４２】
信号は、スケジューリングされた周波数資源の受信機機能が活動状態でないモードにあるデバイスの二次チャンネル受信機機能により受信される。受信機機能は、単一の物理的受信機装置によってかまたは別個の受信機によって提供され得る。
【００４３】
スケジューリングされた周波数資源は、少なくとも１つの資源単位を含むことができ、この資源単位は第１の周波数資源を含む。二次周波数資源は、１つの資源単位内の第１の周波数資源よりも小さいものである第２の周波数資源を含む。サイズは所定のものであり、典型的には、所与のスケジューリングされたシステム内の伝送のためにスケジューリングされ得る最小数の周波数資源である。例えば、資源単位は、直交周波数分割多重化（ＯＦＤＭ）システムの物理資源ブロック（ＰＲＢ）であり得、第２の周波数資源は、ＯＦＤＭ  ＰＲＢの一部分を含むことができる。
【００４４】
非活動モードにある少なくとも1つのデバイスには、二次資源についての情報が提供され得る。このような情報は、例えばシステム情報（ＳＩ）メッセージ内で伝送され得る。１つの可能性によると、この構成は、例えば無線資源制御（ＲＲＣ）シグナリングを用いた専用シグナリングを通してデバイスに通信される。
【００４５】
一実施形態によると、４４における二次資源の受信機機能による信号の受信は、主受信機機能に対する内部割り込み信号の送信をトリガーする。二次資源上での信号の受信によりよりトリガーされた内部信号に応答して、スケジューリングされた資源の受信は活動化され、こうして、着信データを受信することができる。このデータは、定期的なページング・メッセージまたは任意の他のデータを含むことができる。
【００４６】
接続されたモードでは、通信デバイスはシステムのタイミングを知っている。しかしながら、通信デバイスが非活動モードにあり、ウェイク・アップ信号などの考えられる二次信号のみをスキャンしている場合、デバイスはシステムのタイミングを知らない可能性がある。
【００４７】
一実施形態によると、第１のまたは主受信機は、二次受信機よりも広い帯域幅で動作し、第１の受信機をより複雑にしている。広い帯域幅の使用には、例えばより精確でより電力消費量の多いクロックと同様、より高いサンプリング・レートが必要である。広い帯域幅の使用は同様に、他のＲＦ構成要素の電力消費量も増加させる場合がある。こうして、一実施形態によると、低電力二次受信機による検出および使用を目的として、スケジューリングされた無線システム内に狭帯域信号が導入される。狭帯域信号の使用は、二次受信機内で低いサンプルレートと共に使用可能である低電力構成要素を必要とすることから、有利であり得る。
【００４８】
狭帯域伝送は、追加の送信機を必要としない帯域内伝送スキームを用いて実現できる。
【００４９】
考えられる１つのシナリオは、（例えばＬＴＥおよびＬＴＥ−Ａにおいて使用され、同様にアクセスのためにＯＦＤＭを用いる将来のシステムに利用可能であると思われる）直交周波数分割多重化（ＯＦＤＭ）ベースのエア・インターフェースに関係するものであり、ＯＦＤＭ資源のサブセット内で二次資源を実現するための方法を開示する。ＯＦＤＭチャンネルを、多数の物理資源ブロック（ＰＲＢ）に分割することができる。各ＰＲＢは、一定の持続時間にまたがる一定数の副搬送波で構成されている。例えば、ＬＴＥにおいて、ＰＲＢは１２の副搬送波にまたがり、（ノーマル・サイクリック・プレフィックス・オペレーションのための）１ｍｓの伝送時間間隔内に１４のＯＦＤＭシンボルを格納している。通常、ＯＦＤＭシステムの副搬送波は、一定の時間周期中、ユーザに配分できる１組の資源を含むようにまとめられる。ＰＲＢは、１つの伝送時間間隔（ＴＴＩ）中に所定の数の副搬送波（例えば１２、これは１８０ｋＨｚの合計帯域幅を意味する）を含む。１２の副搬送波５１を伴うＰＲＢ５０の一例が、図５に例示されている。これは一例にすぎず、例えば第５世代（５Ｇ）のコンセプトのためには、およそ１０ＭＨｚというより大きいＰＲＢが提案されていることを認識すべきである。
【００５０】
スケジューリングされた無線システムのスケジューリングにしたがってスケジューリングされていない信号を受信するように適応された二次受信機のコンセプトが、スケジューリングされた無線システムに適応させられる場合、二次チャンネル信号を、定期的なデータおよび制御チャンネルと共に伝送サイトの帯域幅内で配分することができる。全ＰＲＢが１つの二次信号、例えばウェイク・アップまたは他の割り込み信号に配分される場合、これは、システムの能力および／またはハードウェアの複雑性に影響を及ぼす可能性がある。したがって、副搬送波の小さいサブセットのみが使用され、二次チャンネルの専用とされる。１システム帯域幅内部の副搬送波の数は、通常多く、したがってこれらのサブセットの追加は、特にこのような二次チャンネル専用とされるのがサブセットの限定された部分にすぎない場合、わずかなスループット低下しか導かないと予期される。しかしながら、既存のＬＴＥ規格によると、配分可能な最小の資源はＰＲＢ（すなわち１２の副搬送波）である。したがって、この点に関する規格の変更が必要となる場合がある。
【００５１】
同じアクセス技術および帯域内二次信号を使用する代りに、帯域外二次信号を提供するために別の無線アクセス技術（ＲＡＴ）を使用することもできる。こうして、例えば、スケジューリングされたシステムのスケジューリングされた資源の受信機機能を制御する目的で低電力消費量向けに調整された規格に基づくことのできる別のＲＡＴを用いて、ウェイク・アップ信号を伝送し受信することが可能である。１つのシナリオによると、二次信号を提供するため、スケジューリングされたセルラー・システムが、非セルラー・システムによって補完される。二次信号を通信するためのＲＡＴの例としては、さまざまな短距離無線システム、無線ローカル・エリア・ネットワーク（ＷＬＡＮ）、および遠隔制御システムが含まれる。このようなシステムの特定の市販されている例としては、Ｂｌｕｅｔｏｏｔｈ（登録商標）、Ｗｉ−Ｆｉ（登録商標）、ＺｉｇＢｅｅ（登録商標）およびＺ−Ｗａｖｅ（登録商標）がある。図１の実施例においては、信号は、基地局１７により提供される二次資源上でモバイル・デバイス１に伝送され得る。スケジューリングされた資源は、セルラー・システムの基地局１１により伝送可能である。
【００５２】
第１の受信機および／またはデバイスのオペレーションは、二次受信機が受信した信号に基づいて制御可能である。
【００５３】
第１の受信機つまり主受信機６２および二次チャンネル受信機６３を含む受信機配設６０の一例が、図６に示されている。二次チャンネルは、例えば、同調可能な狭帯域フィルターによって、または固定狭帯域フィルターを適用できる中間周波数に対するミキシングによって、受信可能である。二次チャンネルの送信機は、優れた相互相関特性を有する所定の２進シーケンス（例えばゴールドシーケンス）にしたがって搬送波をオンオフ同調することにより信号を基本的に変調させるオンオフキーイングの使用に依存し得る。包絡線検出器を用いて搬送波状態を検出することにより、ビットパターンを受信し、受信機固有のシーケンス（ＩＤ）と相関させることができる。各々１ビットシフトされたシーケンスを適用する多数の並列相関器を使用することにより、電力を消費する無線周波数（ＲＦ）局部振動（ＬＯ）の必要性が全く無いことから、ビットシーケンスに対する同期化の必要性を回避することができる。
【００５４】
図７は、このような実現の一例を示す。干渉に対するロバスト性は、選択された２進シーケンスの自己相関および相互相関特性を活用することによって達成可能である。
【００５５】
例示的実施例によると、３ＧＰＰ  ＬＴＥ規格リリース８にしたがった１つの副搬送波が使用される。このような副搬送波は、周波数ドメイン内の１５ｋＨｚ、そして時間ドメイン内の１４のシンボルにまたがっている。オーバーヘッドを含めると、これは１ｍｓをカバーする。シーケンスが１ビットあたり１つのＬＴＥシンボルを使用して実現される場合、シンボル周波数（１５ｋＨｚ）に等しい相関器へのクロック周波数入力が必要となる。これにより、低い電力消費量がもたらされ、なお、２∧１４の考えられるシグナリング状態を伴うシーケンスが導かれるはずである。一部の状態を「符号化ロバスト性」のために予約することができ、一方、残りの部分を、一部の一意的アイデンティティ情報（ＩＤｓ）を提供するために使用することができる。別の例は、連続するＴＴＩ内で同じ周波数資源を使用することである。これにより、より多くのシンボルがロバスト性またはＩＤ数を改善することができる。
【００５６】
基地局は、自らに割り当てられたアイデンティティ（ＩＤ）について通信デバイスに通知することができ、受信者通信デバイスは次にその一次受信機をオフ切換えし、二次受信機を有効にすることができる。さらに、デバイスおよび基地局は、二次受信機が受信すべき信号のために使用される副搬送波について合意する必要がある場合がある。これは定期的な制御シグナリング／構成メカニズムを用いることによって提供され得る。
【００５７】
スケジューリングされたシステムにおける二次資源の使用のより具体的な例をここでウェイク・アップ受信機（ＷｕＲｘ）のコンセプトおよび図６および７との関係において示す。このコンセプトでは、マスターノードつまりアクセス・ポイント（ＡＰ）は、必要とされる場合つねに特定のノードをウェイク・アップして、イベント・ベースの受信のトリガリングを提供することができる。マスターノードにより伝送された特定のウェイク・アップ信号を検出することのできる二次低電力受信機６３（ウェイク・アップ受信機）が、使用可能である。二次受信機６３から主受信機６２への内部信号６４は、主受信機をウェイク・アップするための内部信号を含むことができる。割り込み信号６４に応答して、主送受信機６２はこのとき、データを受信できるように電源をオンにする。ウェイク・アップ受信機６３がページング信号をスキャンしている間、主送受信機６２の電源を完全にオフにできることから、低電力消費量の達成が可能となる。
【００５８】
図８は、短／長の周期的不連続受信（ＤＲＸ）とイベント・ベースの受信そしてより詳細にはイベント・ベースのウェイク・アップ信号の受信との間の比較を例示している。
【００５９】
全ＰＲＢの再利用は、伝送されるべきウェイク・アップ信号または他の二次信号のためのＰＲＢ全体の配分を理由として、セル容量を劣化させる確率が高い。同様に、ウェイク・アップ受信機（ＷｕＲｘ）ハードウェア（ＨＷ）などの二次受信機の複雑性および電力消費量は、帯域幅の増加に伴って著しく増大し得る。
【００６０】
ウェイク・アップ信号は、既存の信号構造の頂部に追加される独立した追加の信号である。考えられる１つの実現によると、既存の信号のサブセットがミュートされて、新しい信号のための余地を与える。ミューティングは、全ての受信デバイスがそれを知るように配設され得る。非活動状態のデバイスのみがミューティングを知っているという可能性もある。
【００６１】
全ての潜在的受信者デバイスがミューティングを知らされている場合には、１つの帯域内搬送波をこの目的のために予め予約することができる。例えば、ユーザ機器（ＵＥ）およびｅＮＢの両方が、一部の資源が欠如していることを知らされている可能性がある。このとき、ｅＮＢおよびＵＥは、このウェイク・アップ・チャンネルに対する、あるいは多数のＵＥが異なるウェイク・アップ・チャンネルを使用する場合には複数のウェイク・アップ・チャンネルに対する上述の資源の予約に起因する容量ギャップを考慮に入れるため、それらのレート・マッチングを同調することができる。こうして、ウェイク・アップ・チャンネルにより置換されると考えられるデータ・ビットの損失が回避される。このオプションは、システムに接続された全てのＵＥがウェイク・アップ・チャンネル（単複）の位置を知る必要があることから、シグナリングの増加を引き起こす可能性がある。１つの可能性によると、ウェイク・アップ信号の位置は、システム情報（ＳＩ）中に含まれる。
【００６２】
非活動状態のデバイスのみがミューティングを知っている場合には、物理的レベルにいくつかの欠落資源が存在する可能性があり、そのため、ｅＮＢまたは他のアクセス・システムコントローラは、受信デバイスによる復号における比較的低いパフォーマンスを補償するために、より攻撃性の低いリンク適応を使用しなければならない可能性がある。
【００６３】
二次資源は、スケジューリングされていない資源を含むことができる。送信機のスケジューラが二次信号に全く対処していないことを理由として、二次信号はスケジューリングされていない資源として定義され得る。スケジューリングされていない資源は、少なくとも部分的に、スケジューリングされた資源内に含み入れられ得る。例えば、物理資源ブロックが少なくとも１つの接続されたデバイスにすでに配分されている、すなわち資源は伝送のためにスケジューリングされており、同じ物理資源そしてより詳細には物理資源ブロックの副搬送波が、非活動状態のデバイスにウェイク・アップ信号を伝送するために配分される。
【００６４】
図９および１０は、ウェイク・アップ信号が存在する場合（図１０）およびその他の形で全広帯域信号が定期的なデータのために使用される場合（図９）に、主送受信機内で限定数の副搬送波をどのようにしてミュートできるかの論理的表現である。この論理的表現において、送信機は、２つの個別の論理送信機で構成されるものとして示されているが、物理的実装においては、破線で示されている通り２つの送信機機能が単一の物理的送信機の形で構築可能であることが認識されるものである。
【００６５】
主送信機機能は、規格化された形でデータおよび制御チャンネルを配分し、特定の副搬送波（単複）をミュートするための機能性を有する。ウェイク・アップ送信機機能は、狭帯域ウェイク・アップ信号を生成し、選択された副搬送波（単複）をいつミュートするかを主送信機に通知する。
【００６６】
ウェイク・アップ信号は、ウェイク・アップ信号が、選択された伝送時間間隔（ＴＴＩ）内で専用搬送波内でのみ伝送されるように、時分割多重化された形で伝送可能である。すなわち、ウェイク・アップ信号は、例えば特定のイベントに応答して、必要とされる場合にのみ、伝送され得る。
【００６７】
ウェイク・アップ・チャンネルは例えば、所定の副搬送波をミュートすることにより実現され、このときアクセス・ポイント（ＡＰ）がウェイク・アップ信号を送る必要がある場合にのみ副搬送波を変調することができる。このアプローチの利点は、送信機内で容易に実現でき、スループット低下の観点から見たコストが低いものであり得る、という点にある。
【００６８】
考えられる実現は、ＯＦＤＭ信号の直流（ＤＣ）副搬送波を使用することにある。二次送受信機がウェイク・アップ・チャンネルまたはそれに類するもののために使用される場合、ＤＣ副搬送波は、わずかにオフセットされた局部発振器（ＬＯ）周波数とのミキシングに基づくものであり得、その後、信号は引き続き、伝送前に主アンテナ（単複）に追加される。ウェイク・アップ受信機は、信号を受信した時点で、オフセットされたＬＯとミキシングし、したがって、信号を復調することができる。この解決法は、追加の送信機を必要とする場合があり、ウェイク・アップ・チャンネルはノイズとして知覚され得ることから、主受信機内により優れたＤＣフィルターも必要とする可能性がある。一方で、スループットに対する影響は、ＤＣ副搬送波が概してデータ送信に使用されないことから、限定的になるはずである。１つの可能性によると、ウェイク・アップ受信機は、同調可能な狭帯域フィルターを含み、こうしてミキシング手順を回避する。
【００６９】
１つの可能性によると、二次信号は、周期信号例えば、異なる伝送周期を伴い二次受信機において受信されることを目的とする不連続受信（ＤＲＸ）タイプの信号であり得る。
【００７０】
実施形態はＬＴＥとの関係において説明されているものの、スケジューリングされた資源が伝送向けに配分されている他のあらゆる通信システムに対して、またはまさにＬＴＥでのさらなる開発に対して、同様の原理を適用することが可能である。同様に、二次チャンネル上のスケジューリングされていない通信からの恩恵を受け得る非活動状態のデバイスのための任意の他の信号を、ウェイク・アップ信号の代りに提供することもできる。基地局により提供される搬送波の代りに、搬送波の少なくとも１つは、移動通信デバイスにより提供され得る。例えば、これは、いかなる固定機器も提供されないが、例えば基地局または中継局として作用するおよび／または互いと直接通信できる特別のネットワークまたは他の移動局において、複数の移動式機器を用いて通信システムが提供される利用分野にあてはまる可能性がある。したがって、以上では例として、無線ネットワーク、技術および規格についてのいくつかの例証用アーキテクチャを参考にして一部の実施形態について説明してきたが、実施形態は、本明細書中で例示され説明されているも以外のあらゆる好適な形態の通信システムに適用することができる。
【００７１】
基地局装置、通信デバイスおよび他の任意の適切な装置の必要とされているデータ処理用の装置および機能は、１つ以上のデータ・プロセッサを用いて提供され得る。ここで説明された各終端における機能は、別個のプロセッサまたは統合プロセッサによって提供され得る。データ・プロセッサは、現地の技術的環境に好適なあらゆるタイプのものであり得、非限定的例として、汎用コンピュータ、専用コンピュータ、マイクロプロセッサ、デジタル信号プロセッサ（ＤＳＰ）、特定用途向け集積回路（ＡＳＩＣ）、ゲートレベル回路およびマルチコアプロセッサアーキテクチャのうちの１つ以上を含むことができる。データ処理は、複数のデータ処理モジュールにわたり分配され得る。例えば少なくとも１つのチップを用いてデータ・プロセッサを提供することができる。関連するデバイス内に、適切な記憶容量を具備することもできる。１つまたは複数のメモリーは、現地の技術的環境に好適な任意のタイプのものであり得、任意の好適なデータ記憶技術、例えば、半導体ベースのメモリーデバイス、磁気メモリーデバイスおよびシステム、光学的メモリーデバイスおよびシステム、固定メモリーおよび取外し可能なメモリーを使用して実装され得る。
【００７２】
概して、さまざまな実施形態をハードウェアまたは特定用途向け回路、ソフトウェア、論理またはそれらの任意の組合せの形で実装することができる。本発明の一部の態様はハードウェアの形で実装され得、一方他の態様は、コントローラ、マイクロプロセッサまたは他の計算デバイスにより実行され得るファームウェアまたはソフトウェアの形で実装され得るが、本発明はこれらに限定されない。本発明のさまざまな態様がブロック図、流れ図として、または他の一部の絵画的表現を用いて例示され説明され得るものの、本明細書中に説明されているこれらのブロック、装置、システム、技術および方法を、非限定的な例としてハードウェア、ソフトウェア、ファームウェア、特定用途向け回路または論理、汎用ハードウェアまたはコントローラまたは計算デバイス、あるいはこれらの一部の組合せの形で実装することもできるということは、充分に理解できる。ソフトウェアは、メモリーチップなどの物理的媒体、またはプロセッサ内部に実装されたメモリーブロック、ハードディスクまたはフロッピーディスクなどの磁気媒体、および例えばＤＶＤおよびそのデータ変異形態であるＣＤなどの光学的媒体の上に記憶され得る。
【００７３】
以上の説明は、本発明の例示的実施形態の完全で有益な説明を、例示的な非限定的実施例を用いて提供してきた。しかしながら、添付図面および添付のクレームと併せて読んだ時点で、当業者には、さまざまな修正および適応が明らかになる可能性がある。ただし、本発明の教示のこのようなおよび類似の修正は、なおも添付クレーム内で定義されている通りの本発明の精神および範囲内に入るものである。実際、以上で論述した他の実施形態のいずれかのうちの１つ以上の組合せを含むさらなる実施形態が存在する。
【図１】
2019033547.tif 000003
【図２】
2019033547.tif 000004
【図３】
2019033547.tif 000005
【図４】
2019033547.tif 000006
【図５】
2019033547.tif 000007
【図６】
2019033547.tif 000008
【図７】
2019033547.tif 000009
【図８】
2019033547.tif 000010
【図９】
2019033547.tif 000011
【図１０】
2019033547.tif 000012
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
二次周波数資源を、スケジューリングされたシステムのスケジューリングから独立に、非活動モードにある少なくとも１つのデバイスに割り当てるステップと、
スケジューリングされた周波数資源の受信を制御するための、前記二次周波数資源の上で、非活動モードにある前記少なくとも１つのデバイスに、信号を送信するステップと、
を含む方法であって、
前記非活動モードにおいて、スケジューリングされた周波数資源を受信するように構成された受信機能が、不活動的であり、
前記二次周波数資源を受信するように構成された二次受信機能が、活動的であり、
前記二次受信機能が前記受信機能よりも低消費電力であり、
前記スケジューリングされた周波数資源が、少なくとも１つの資源の単位を含み、
前記資源の単位が第１の周波数資源を含み、
前記送信された信号は、非活動モードにある前記少なくとも１つのデバイスへを完全に活動化するウェイク・アップ信号を備える、方法。
【請求項２】
前記受信機能が非活動モードにあるとき、前記二次周波数資源を受信するように構成された前記二次受信機能より広い帯域幅で動作するまたは異なる無線アクセス技術に基づいて前記受信機能を、前記信号に基づいて制御するステップを含む、請求項１に記載の方法。
【請求項３】
前記二次周波数資源は、１つの資源の単位内の前記第１の周波数資源よりも小さい第２の周波数資源を備える、請求項１に記載の方法。
【請求項４】
少なくとも１つのデバイスが非活動モードにある場合に、スケジューリングされたシステムのスケジューリングから独立に、二次周波数資源の上で信号を受信するステップと、
前記信号に基づいて前記スケジューリングされた周波数資源の受信を制御ステップと
を含む方法であって、
前記非活動モードにおいて、スケジューリングされた周波数資源を受信するように構成された受信機能が、不活動的であり、
前記二次周波数資源を受信するように構成された二次受信機能が、活動的であり、
前記二次受信機能が前記受信機能よりも低消費電力であり、
前記スケジューリングされた周波数資源は、少なくとも１つの資源の単位を含み、
前記資源の単位が第１の周波数資源を含み、
前記受信された信号は、非活動モードにある前記少なくとも１つのデバイスへを完全に活動化するウェイク・アップ信号を備える、方法。
【請求項５】
前記信号に基づいて、前記受信機能が非活動モードにあるとき、前記二次周波数資源を受信するように構成された前記二次受信機能より広い帯域幅で動作するまたは異なる無線アクセス技術に基づいて前記受信機能を制御するステップを含む、請求項３に記載の方法。
【請求項６】
前記二次周波数資源は、１つの資源の単位内の前記第１の周波数資源よりも小さい第２の周波数資源を備える、請求項４に記載の方法。
【請求項７】
少なくとも１つのプロセッサとコンピュータ・プログラム・コードを含む少なくとも１つのメモリとを備える装置であって、
前記少なくとも1つのメモリおよび前記コンピュータ・プログラム・コードが、前記少なくとも1つのプロセッサを用いて、前記装置に、
二次周波数資源を、スケジューリングされたシステムのスケジューリングから独立に、非活動モードにある少なくとも１つのデバイスに割り当てさせ、
スケジューリングされた周波数資源の受信を制御するための、前記二次周波数資源の上での非活動モードにある前記少なくとも１つのデバイスへ信号を送信させる
ように構成され、
前記非活動モードにおいて、スケジューリングされた周波数資源を受信するように構成された受信機能が、不活動的であり、
前記二次周波数資源を受信するように構成された二次受信機能が、活動的であり、
前記二次受信機能が前記受信機能よりも低消費電力であり、
前記スケジューリングされた周波数資源は、少なくとも１つの資源の単位を含み、
前記資源の単位が第１の周波数資源を含み、
前記送信された信号は、非活動モードにある前記少なくとも１つのデバイスへを活動化するウェイク・アップ信号を備える、装置。
【請求項８】
前記少なくとも1つのメモリおよび前記コンピュータ・プログラム・コードは、前記少なくとも１つのプロセッサを用いて、前記装置に、前記信号に基づいて、第１の受信機機能が非活動モードにあるとき、二次周波数資源を受信するように構成された前記二次受信機能より広い帯域幅で動作する、または、異なる無線アクセス技術に基づいて、前記受信機能を制御させるように構成される、請求項７に記載の装置。
【請求項９】
前記二次周波数資源は、１つの資源の単位内の前記第１の周波数資源よりも小さい第２の周波数資源を備える、請求項７に記載の装置。
【請求項１０】
前記少なくとも1つのメモリおよび前記コンピュータ・プログラム・コードは、前記少なくとも１つのプロセッサを用いて、前記二次周波数資源についての情報を通信するように構成され、
前記情報は、好適には、ユーザー機器識別と、ページング情報とのうちの少なくとも１つを含む、請求項７に記載の装置。
【請求項１１】
前記二次周波数資源が、直交周波数分割多重化（ＯＦＤＭ）システムの少なくとも１つの副搬送波を含む、または、
前記二次周波数資源が、少なくとも部分的に、スケジューリングされた周波数資源内に含まれている、または、
前記二次周波数資源は、ＯＦＤＭシステムの直流副搬送波を備える、請求項７に記載の装置。
【請求項１２】
前記二次周波数資源の上の前記信号が、スケジューリングされた資源を受信するための機能をウェイク・アップさせるための信号を含む、請求項７に記載の装置。
【請求項１３】
請求項７に記載の装置を備えるネットワーク・ノード。
【請求項１４】
少なくとも１つのプロセッサとコンピュータ・プログラム・コードを含む少なくとも１つのメモリとを備えた装置であって、
前記少なくとも1つのメモリおよび前記コンピュータ・プログラム・コードは、前記少なくとも１つのプロセッサを用いて、前記装置に、少なくとも、
スケジューリングされたシステムのスケジューリングされた周波数資源を受信させ、
少なくとも１つのデバイスが非活動モードにある場合に、前記スケジューリングされたシステムのスケジューリングから独立して、二次周波数資源の上で信号を受信させ、
前記信号に基づいて前記スケジューリングされた周波数資源の受信を制御させる
ように構成され、
前記非活動モードにおいて、スケジューリングされた周波数資源を受信するように構成された受信機能が、不活動的であり、
前記二次周波数資源を受信するように構成された二次受信機能が、活動的であり、
前記二次受信機能が前記受信機能よりも低消費電力であり、
前記スケジューリングされた周波数資源は、少なくとも１つの資源の単位を含み、
前記資源の単位が第１の周波数資源を含み、
前記受信された信号は、非活動モードにある前記少なくとも１つのデバイスへを活動化するウェイク・アップ信号を備える、装置。
【請求項１５】
前記少なくとも1つのメモリおよび前記コンピュータ・プログラム・コードは、前記少なくとも１つのプロセッサを用いて、前記装置に、
前記信号に基づいて、第１の受信機機能が非活動モードにあるとき、前記二次周波数資源を受信するように構成された前記二次受信機能より広い帯域幅で動作する、または、異なる無線アクセス技術に基づいて、前記受信機能を制御させるように構成される、請求項１４に記載の装置。
【請求項１６】
前記二次周波数資源は、１つの資源の単位内の前記第１の周波数資源よりも小さい第２の周波数資源を備える、請求項１４に記載の装置。
【請求項１７】
前記少なくとも１つのメモリおよび前記コンピュータ・プログラム・コードは、該少なくとも１つのプロセッサを用いて、前記二次周波数資源についての情報を通信するように構成され、
前記情報は、好適には、ユーザー機器識別と、ページング情報とのうちの少なくとも１つを含む、請求項１４に記載の装置。
【請求項１８】
前記二次周波数資源が、直交周波数分割多重化（ＯＦＤＭ）システムの少なくとも１つの副搬送波を含む、または、
前記二次周波数資源が、少なくとも部分的に、スケジューリングされた周波数資源内に含まれている、または、
前記二次周波数資源は、ＯＦＤＭシステムの直流副搬送波を備える、請求項１４に記載の装置。
【請求項１９】
前記二次周波数資源の上の前記信号が、スケジューリングされた資源を受信するための機能をウェイク・アップさせるための信号を含む、請求項１４に記載の装置。
【請求項２０】
請求項１４に記載の装置を備える通信デバイス。
【外国語明細書】
2019033547000001.pdf